(57)【要約】  記述されるような方法および装置は、検索レート制御によってアクセス端末のバッテリ寿命を向上させるための技術および技巧に対して向けられる。アクセス端末がセル中で代わりのネットワークを検索するレートを制御し、余計な試行を著しく減少させることで、アクセス端末のバッテリ寿命を著しく増加させる。
2010533465.tif 000002
【特許請求の範囲】
【請求項１】
第１のネットワークと通信することと、
検索レートで第２のネットワークを検索することと、
少なくとも一つの基準の一部に基づいて検索レートを制御することと、
を具備するワイヤレス通信システムに用いられる方法。
【請求項２】
前記第１のネットワークが２Ｇネットワークであり、前記第２のネットワークが３Ｇネットワークである、請求項１に記載の方法。
【請求項３】
前記検索レートを制御することは、バックオフスキームを実行することをさらに具備する、請求項１に記載の方法。
【請求項４】
前記バックオフスキームは、指数バックオフスキーム又は線形バックオフスキームのうちの少なくとも一つを含む、請求項３に記載の方法。
【請求項５】
前記基準は、閾値以上での多数の連続失敗検索、アクセス端末のモビリティ、閾値以上での信号強度の変動、時間周期を通じての多数の再選択、時間周期を通じて検知される多数の新しい隣接物、閾値以上での受信機自動利得制御（ＲＸ  ＡＧＣ）における変動、又は閾値以上でのＲＸ  ＡＧＣの隣接セルにおける変動のうちの少なくとも一つを含む、請求項１に記載の方法。
【請求項６】
前記第２のネットワークは多数の周波数で送信され、
前記第２のネットワークに対する前記周波数の各々を検索することと、
各周波数に対する前記検索レートを制御することと、
をさらに具備する請求項１に記載の方法。
【請求項７】
前記第２のネットワークを検索すること、前記検索レートを制御すること、又は前記基準を決定することのうちの少なくとも一つを人工知能によって自動化することをさらに具備する請求項１に記載の方法。
【請求項８】
少なくとも一つの周波数上で送信されるセル中のネットワークを少なくとも一つの周波数の検索レートで検索すること、および少なくとも一つの基準の一部に基づいて前記検索レートを制御することに関連した命令を記憶するメモリと、
前記メモリに連結され、前記メモリに記憶される命令を実行するように構成されるプロセッサと、
を具備するワイヤレス通信装置。
【請求項９】
検索レートでセルのネットワークを検索する手段と、
少なくとも一つの基準の一部に基づいて前記検索レートを制御する手段と、
を具備するワイヤレス通信装置。
【請求項１０】
前記検索レートを制御することは、少なくとも一つのバックオフスキームを実行することをさらに具備する、請求項９に記載の装置。
【請求項１１】
前記バックオフスキームは、指数バックオフスキーム又は線形バックオフスキームのうちの少なくとも一つを含む、請求項１０に記載の装置。
【請求項１２】
前記基準は、予め決められた閾値以上の多数の連続して停止した検索、アクセス端末のモビリティ、予め決められた時間周期を通じての多数の再選択、予め決められた閾値以上の信号強度の変動、予め決められた時間周期を通じて検索される多数の新しい隣接物、予め決められた閾値以上の受信機自動利得制御（ＲＸ  ＡＧＣ）における変動、又は予め決められた閾値以上のＲＸ  ＡＧＣの隣接セルにおける変動のうちの少なくとも一つを含む、請求項９に記載の装置。
【請求項１３】
前記ネットワークは多数の周波数を通じて送信され、前記ネットワークが送信される周波数を通じて各周波数に対する前記検索レートを制御する手段をさらに具備する請求項９に記載の装置。
【請求項１４】
前記第２のネットワークを検索すること、前記検索レートを制御すること、又は前記基準を決定することのうちの少なくとも一つを自動化する手段をさらに具備する請求項９に記載の装置。
【請求項１５】
第１のネットワークと通信するコードと、
検索レートで第２のネットワークを検索するコードと、
少なくとも一つの基準の少なくとも一部に基づいて前記検索レートを制御するコードと、
を備えるコンピュータ可読媒体を具備するコンピュータプログラム製品。
【請求項１６】
前記第１のネットワークは２Ｇネットワークであり、前記第２のネットワークは３Ｇネットワークである請求項１５に記載のコンピュータ製品。
【請求項１７】
前記検索レートを制御するコードは、バックオフスキームを実行するコードをさらに具備し、
前記バックオフスキームは、前記アクセス端末によって電力消費を減少させるために検索レートを減少させる請求項１５に記載のコンピュータ製品。
【請求項１８】
前記バックオフスキームは、指数バックオフスキーム、非指数バックオフスキーム、線形バックオフスキーム、又は非線形バックオフスキームのうちの少なくとも一つを含む、請求項１７に記載のコンピュータ製品。
【請求項１９】
前記基準は、予め決められた閾値以上の多数の連続して停止した検索、アクセス端末のモビリティ、予め決められた閾値以上の信号強度の変動、予め決められた時間周期を通じての多数の再選択、予め決められた時間周期を通じて検知される多数の新しい隣接物、予め決められた閾値以上の受信機自動利得制御（ＲＸ  ＡＧＣ）における変動、又は予め決められた閾値以上のＲＸ  ＡＧＣの隣接セルにおける変動のうちの少なくとも一つを含む、請求項１５に記載のコンピュータ製品。
【請求項２０】
前記第２のネットワークが送信される周波数を介して、各周波数に対する前記検索レートを制御するコードをさらに具備する請求項１５に記載のコンピュータ製品。
【請求項２１】
前記第２のネットワークを検索すること、前記検索レートを制御すること、又は人工知能を用いて前記基準をきって射することのうちの少なくとも一つを自動化するコードをさらに具備する、請求項１５に記載のコンピュータ製品。
【請求項２２】
第１のネットワークと通信し、
予め決められたレートで第２のネットワークを検索し、
少なくとも一つの基準の少なくとも一部に基づいて前記検索レートを制御するように構成されるプロセッサを具備するワイヤレス通信装置。
【請求項２３】
少なくとも一つの第１のネットワークとの通信を促進し、前記第１のネットワークとの通信のうちの少なくとも一つの基準を決定する基準コンポーネントを含んでいる接続コンポーネントと、
少なくとも一つの第２のネットワークを検索し、前記第２のネットワークを検索するレートを定める検索レートコンポーネントを含み、前記検索レートコンポーネントで定められた検索レートを調整する制御コンポーネントをさらに含んでいる検索コンポーネントと、
を具備するワイヤレス通信装置。
【請求項２４】
前記第１のネットワークは２Ｇネットワークであり、前記第２のネットワークは３Ｇネットワークである請求項２３に記載の装置。
【請求項２５】
前記制御コンポーネントは、バックオフコンポーネントを含み、前記検索レートを調整しつつ、使用のために少なくとも一つのバックオフスキームを備える前記制御コンポーネントを提供できる請求項２３に記載の装置。
【請求項２６】
前記バックオフスキームは、線形バックオフスキーム又は指数バックオフスキームのうちの少なくとも一つを含む請求項２５に記載の装置。
【請求項２７】
前記制御コンポーネントは、前記検索コンポーネントに含まれるカウンタコンポーネントによって決定される、多数の連続して失敗した検索の少なくとも一部に基づいて前記検索レートを調整する請求項２３に記載の装置。
【請求項２８】
前記基準は、アクセス端末のモビリティ、予め決められた閾値以上での前記信号強度の変動、予め決められた時間周期を通じての多数の再選択、予め決められた時間周期を通じて検知される多数の新しい隣接物、予め決められた閾値以上での受信機自動利得制御（ＲＸ  ＡＧＣ）における変動、又は予め決められた閾値以上でのＲＸ  ＡＧＣの隣接セルにおける変動のうちの少なくとも一つを含む、請求項２３に記載の装置。
【請求項２９】
前記制御コンポーネントは、前記装置に含まれる電源の寿命を向上させるために前記検索レートを調整する、請求項２３に記載の装置。
【発明の詳細な説明】
【優先権の主張】
【０００１】
本願は、本願の譲受人に譲渡され、参照によって本願に明確に組み込まれた２００７年７月１０日出願の「ＷＣＤＭＡ  ＮＣＥＬＬをデコードするためにＵＥによって行われる試行の数を減少させるための方法および装置」と題された、米国特許仮出願第６０／９４８，９３５号に対する優先権を主張する。
【技術分野】
【０００２】
本態様は、ワイヤレス通信デバイスに関し、特に、検索レート制御によってアクセス端末のバッテリ寿命を向上させるための装置および方法に関する。
【背景技術】
【０００３】
ＵＭＴＳカバレージ（以下、「ＷＣＤＭＡカバレージ」，「３Ｇカバレージ」，又は単に「３Ｇ」と称される）は至るところにあるのではなく、ＷＣＤＭＡカバレージから離れるユーザにカバレージを提供する「代替」技術としてのＧＳＭ／ＧＰＲＳ／エッジカバレージ（以下、「２Ｇカバレージ」又は単に「２Ｇ」と称される）を備えるカバレージのアイランドとしていずれ残存するであろう。
【０００４】
モバイル，アクセス端末，又はその他の類似の用語と称されてもよいユーザ機器（ＵＥ）が２Ｇセル上にいったん集められると、ＵＥはＷＣＤＭＡセルを検索し始める必要があるか否かを決定するために、ＵＥは２Ｇセル上でシステム情報を読み出す。
【０００５】
もし２ＧセルがＷＣＤＭＡ  ＮＣＥＬＬリストを含むのであれば、ＵＥは、ＮＣＥＬＬリストにおいて特定される全ての一次同期コード（ＰＳＣ）が識別されるまで、３０秒毎にＷＣＤＭＡセルを検索することを要求される。
【０００６】
もしＵＥが、定められたＷＣＤＭＡ  ＮＣＥＬＬリストを有するが、ＷＣＤＭＡがＧＳＭセルの全領域を含まないようなセル上に集められるのであれば、このような領域におけるＵＥは３０秒毎にＷＣＤＭＡセルを検索するかもしれないし、これを行うことによってバッテリ寿命を相当量減少させるかもしれない。それゆえに、ＧＳＭ／ＧＰＲＳ（２Ｇ）上に集められる間、ＷＣＤＭＡカバレージ（３Ｇカバレージ）のエッジ上でのＵＥに対してＵＥバッテリ寿命の向上を導きうる技巧および技術を有することは望ましいことであろう。
【発明の概要】
【０００７】
以下に、一又はそれ以上の実施形態の基本的な理解を提供するために、このような実施形態の平易化した概要を示す。この概要は、意図される全ての実施形態の広い概観でない。また、全ての実施形態の重要な要素又は不可欠な要素を識別し、いくつかの又は全ての実施形態の範囲を描写することは意図されない。唯一つの目的は、後述されるより詳細な記述への前置きとして平易化した様態で一又はそれ以上の実施形態のいくつかの概念を示すことである。
【０００８】
本開示は、検索レート制御によってネットワークカバレージのエッジ上に集められるアクセス端末のバッテリ寿命の向上に備える。いくつかの態様において、第１のネットワークと通信し、検索レートで第２のネットワークを検索し、少なくとも一つの基準に少なくとも一部基づいて検索レートを制御する方法が開示される。
【０００９】
その他の態様において、アクセス端末のバッテリ寿命を向上させることを促進する装置が開示される。装置は、少なくとも一つの周波数上で送信されるセル中のネットワークを少なくとも一つの周波数の検索レートで検索すること、および少なくとも一つの基準に少なくとも一部基づいて検索レートを制御することに関連した命令を記憶するメモリと、メモリに連結され、メモリに記憶される命令を実行するように構成されるプロセッサとを備えうる。
【００１０】
一又はそれ以上のその他の態様において、検索レート制御によってアクセス端末のバッテリ寿命を向上させることを促進する装置が開示される。装置は、検索レートでセル中のネットワークを検索する手段と、少なくとも一つの基準に少なくとも一部基づいて検索レートを制御する手段とを備える。
【００１１】
さらにその他の態様によれば、検索レート制御によってアクセス端末のバッテリ寿命を向上させることを促進するように構成されるコンピュータ実行可能な命令を含む、コンピュータ可読媒体が提供される。コンピュータ実行可能な命令は第１のネットワークと通信するコード，検索レートで第２のネットワークを検索するコード，および少なくとも一つの基準に少なくとも一部基づき検索レートを制御するコードを含んでいる。
【００１２】
その他の態様において、検索レート制御によってバッテリ寿命を向上させる装置が開示される。装置は、少なくとも一つの第１のネットワークとの通信を促進する接続コンポーネントと、第１のネットワークとの少なくとも一つの接続基準を決定する基準コンポーネントを含んでいる接続コンポーネントと、少なくとも一つの第２のネットワークを検索する検索コンポーネントとを備える。検索コンポーネントは検索コンポーネントが第２のネットワークを検索するレートを定める検索レートコンポーネントを含み、検索コンポーネントは検索レートコンポーネントで定められる検索レートを調整する制御コンポーネントをさらに含んでいる。
【００１３】
上記の目的および関連する目的を達成するために、一又はそれ以上の実施形態は、以下において十分に説明され且つ特許請求の範囲において特に指摘される特徴を備えている。以下の記述および添付の図面は、一又はそれ以上の実施形態のある例示的態様を詳細に記述するものである。これら様態は、実施形態の原理が使用されうる様々な方法および記述される実施形態がこのような様態とそれらの均等物とを全て含むように意図される様々な方法のうちのごく少数を示すものである。
【図面の簡単な説明】
【００１４】
【図１】図１は、典型的な多元アクセスワイヤレス通信システムを例証する。
【図２】図２は、通信システムの一般的なブロック図を例証する。
【図３】図３は、典型的なワイヤレス通信システムを例証する。
【図４】図４は、検索レート制御を実行するための典型的なワイヤレス通信装置を例証する、一般的なコンポーネントブロック図である。
【図５】図５は、実行する検索レート制御の一般化された方法論を例証する、フローチャートである。
【図６】図６は、別の実施形態に従って、一又はそれ以上の特性を自動化することを促進するような人工知能コンポーネントを用いるアプローチを例証する。
【図７】図７は、ここに記述される一又はそれ以上の実施形態を実行するための典型的なデバイスオペレイティブを例証する。
【発明を実施するための形態】
【００１５】
様々な実施形態が、図に関して記述される。なお、同じ参照数字は同じ構成要素を指すために終始用いられる。以下の記述において、説明の目的のために、多数のものからなる明確な詳細が一又はそれ以上の実施形態を通じての理解を提供するために示される。しかしながら、このような実施形態がこれら明確な詳細なしに実行されてもよいということは、明らかであろう。その他の実例において、既知の構成およびデバイスが、記述する一又はそれ以上の実施形態を促進するためにブロック図で示される。
【００１６】
本願に用いられるような、「コンポーネント」，「モジュール」，「システム」等の用語は、ハードウェア，ファームウェア，ハードウェアおよびソフトウェアの組み合わせ，ソフトウェア，又は実行中のソフトウェア等、コンピュータに関連したものを指すことを意図している。例えば、コンポーネントは、プロセッサで実行する処理，プロセッサ，オブジェクト，エグゼキュータブル，実行スレッド，プログラム，および／又はコンピュータであってもよいが、これに限られるものでない。例証のために、通信デバイス上で動作するアプリケーションおよびデバイスの両者が、コンポーネントであってもよい。一又はそれ以上のコンポーネントが、プロセスおよび／又は実行スレッドの中に在ってもよいし、コンポーネントが、一つのコンピュータに局在し、および／又は二又はそれ以上のコンピュータ間に分布されてもよい。また、コンポーネントは、記憶した様々なデータ構成を有している様々なコンピュータ読み出し媒体から実行することができる。コンポーネントは、一又はそれ以上のデータパケット（例えば、近距離通信システム，分散システム，および／又はインターネットのような有線又はワイヤレスネットワークを通じて別のコンポーネントと情報を交換する、あるコンポーネントからのデータ）を有している信号に従って通信するように、近距離および／又は遠距離プロセスを経由して通信してもよい。
【００１７】
さらに、様々な実施形態がアクセス端末に関連してここに記述される。アクセス端末は、システム，加入者ユニット，加入者端末，モバイル局，モバイル，遠隔局，遠隔端末，モバイルデバイス，ユーザ端末，端末，ワイヤレス通信デバイス，ユーザエージェント，ユーザデバイス，又はユーザ機器（ＵＥ）と称されてもよい。アクセス端末は、携帯電話，コードレス電話，セッション起動プロトコル（ＳＩＰ）電話，ワイヤレス市内線（ＷＬＬ）局，個人用ディジタル端末（ＰＤＡ），ワイヤレス接続性能有しているハンドヘルドデバイス，演算デバイス，又はワイヤレスモデムに接続されるその他の処理デバイスであってもよい。さらに、様々な実施形態が基地局に関連してここに記述される。基地局は、アクセス端末と通信するために利用されうる。また、基地局は、アクセスポイント，ノードＢ，ｅノードＢ又はその他の技術に適用してもよい。
【００１８】
さらに、ここに記述される様々な様態又は特徴は、方法，装置，又は基準となるプログラミングおよび／又はエンジニアリング技術を用いる製品として、実行されうる。ここで用いられる「製品」という用語は、任意のコンピュータ可読デバイス，キャリア，又は媒体からアクセスできるコンピュータプログラムを包含すると意図される。例えば、コンピュータ可読媒体は、磁気記憶デバイス（例えば、ハードディスク，フロッピー（登録商標）ディスク，磁気ストリップ等），光学式ディスク（例えば、コンパクトディスク（ＣＤ），ディジタルバーサティルディスク（ＤＶＤ）等），スマートカード，およびフラッシュメモリデバイス（例えば、ＥＰＲＯＭ，カード，スティック，キードライブ等）を含みうるが、これに限られない。加えて、ここに記述される様々な記憶媒体は、一又はそれ以上のデバイスおよび／又は情報を記憶するためのその他の機械可読媒体を表すことができる。「機械可読媒体」という用語は、限られることなしに、ワイヤレスチャンネルと、命令および／又は情報を記憶すること，収容すること，および／又は伝えることが可能な様々なその他の媒体とを含みうる。
【００１９】
加えて、実施形態が通信システムに関して一般的に記述される一方で、当業者は、実施形態が有限精度演算を用い、固定小数点データ表示および浮動小数点データ表示の両者を含む任意のデザインへ適用されうることを理解するであろう。任意の適当なタイプのデザインおよびこのようなタイプのデザインの全てが用いられてもよい、ここに記述されるシステムおよび／又は方法が、特許請求の範囲内に含まれると意図されることは理解されたい。
【００２０】
図１を参照して、ワイヤレス通信システム１００が、ここに示される様々な実施形態に従って例証される。システム１００は、多数のアンテナ群を含みうる基地局１０２を備える。例えば、あるアンテナ群はアンテナ１０４および１０６を含みうるし、もう一つの群はアンテナ１０８および１１０を備えうるし、さらにもう一つの群はアンテナ１１２および１１４を含みうる。二つのアンテナが各アンテナ群のために例証されるが、より多い又はより少ないアンテナが各群に対して利用されてもよい。基地局１０２は、送信機チェーンおよび受信機チェーンをさらに含みうる。なお、それぞれのチェーンは、信号送信および信号受信に関連した多数のコンポーネント（例えば、プロセッサ，変調器，マルチプレクサ，復調器，デマルチプレクサ，アンテナ等）を順に備えうるが、これは当業者によって理解されるであろう。
【００２１】
基地局１０２は、モバイルデバイス１１６およびモバイルデバイス１２２のような一又はそれ以上のモバイルデバイスと通信することができるが、基地局１０２は、モバイルデバイス１１６および１２２と類似した多数のモバイルデバイスとも十分通信できることは理解されたい。モバイルデバイス１１６および１２２は、例えば、携帯電話，スマート電話，ラップトップ，ハンドヘルド通信デバイス，ハンドヘルド演算デバイス，衛星無線，全地球測位システム，ＰＤＡ，および／又はワイヤレス通信システム１００を通じて通信するための任意のその他の適当なデバイスであってもよい。描写されるように、モバイルデバイス１１６はアンテナ１１２および１１４と通信している。なお、アンテナ１１２および１１４は、順方向リンク１１８を通じてモバイルデバイス１１６へ情報を送信し、逆方向リンク１２０を通じてモバイルデバイス１１６から情報を受信する。さらに、モバイルデバイス１２２は、アンテナ１０４および１０６と通信している。なお、アンテナ１０４および１０６は、順方向リンク１２４を通じてモバイルデバイス１２２へ情報を送信し、逆方向リンク１２６を通じてモバイルデバイス１２２から情報を受信する。周波数分割デュプレックス（ＦＤＤ）システムにおいて、例えば、順方向リンク１１８は、逆方向リンク１２０によって用いられる周波数帯とは異なる周波数帯を利用することができ、順方向リンク１２４は、逆方向リンク１２６によって用いられる周波数帯とは異なる周波数帯を用いることができる。さらに、時分割デュプレックス（ＴＤＤ）システムにおいて、順方向リンク１１８および逆方向リンク１２０は、同一周波数帯を利用することができ、順方向リンク１２４および逆方向リンク１２６は、同一周波数帯を利用することができる。
【００２２】
通信するために設計されるアンテナの各群および／又は領域は、基地局１０２のセクタとして参照されうる。例えば、アンテナ群は、基地局１０２によって含まれる領域のセクタでモバイルデバイスと通信するために設計されうる。順方向リンク１１８および１２４を通じての通信において、基地局１０２の送信アンテナは、モバイルデバイス１１６および１２２に対する順方向リンク１１８および１２４の信号対雑音比を向上させるためにビームフォーミングを利用しうる。例えば、これは望ましい方向へ信号を導くためのプレコーダを用いることによって提供されうる。また、基地局１０２が関連したカバレージによって無作為に散在したモバイルデバイス１１６および１２２へ送信するためにビームフォーミングを利用する一方で、隣接セル中のモバイルデバイスは単一のアンテナからモバイルデバイス全てへ送信する基地局と比較してより少ない干渉に左右されうる。さらに、モバイルデバイス１１６および１２２は、一例としてピアートゥピアー技術又はアドホック技術を用いて、お互いに直接に通信できる。
【００２３】
例によれば、システム１００は多重入力・多重出力（ＭＩＭＯ）通信システムであってもよい。さらに、システム１００は、通信チャンネル（例えば、順方向リンクチャンネル又は逆方向リンクチャンネル）を分割するために任意のタイプのデュプレックス技術（例えば、ＦＤＤおよびＴＤＤ等）を利用できる。さらに、システム１００は、多元ベアラシステムであってもよい。ベアラは、定められたキャパシティ，遅延，ビット誤り率等の情報経路であってもよい。モバイルデバイス１１６および１２２は、一又はそれ以上の無線ベアラを各々供給できる。モバイルデバイス１１６および１２２は、一又はそれ以上の無線ベアラを介してアップリンクリソースを管理するためにおよび／又は共用するためにアップリンクレート制御技巧を用いることができる。ある例において、モバイルデバイス１１６および１２２は、無線ベアラを供給するために、およびアップリンクレート制限を実施するためにトークンバケット技巧を利用することができる。
【００２４】
例証に準じて、各ベアラは、関連した優先ビットレート（ＰＢＲ），最大ビットレート（ＭＢＲ），および保証ビットレート（ＧＢＲ）を有しうる。モバイルデバイス１１６および１２２は、関連したビットレート値の少なくとも一部に基づいて無線ベアラを供給しうる。当該ビットレート値は、各ベアラに対するＰＢＲおよびＭＢＲの原因であるキューサイズを計算するために用いられてもよい。キューサイズは、基地局１０２へモバイルデバイス１１６および１２２によって送信されるアップリンクリソース要求に含まれうる。基地局１０２は、それぞれのアップリンク要求および含まれるキューサイズに基づいて、モバイルデバイス１１６および１２２に対するアップリンクリソースを予定しうる。
【００２５】
図２は、ＭＩＭＯシステムにおける送信機システム２１０（アクセスポイントとしても知られる）および受信機システム２５０（アクセス端末としても知られる）のブロック図である。送信機システム２１０において、多数のデータストリームに対するトラフィックデータは、データソース２１２から送信機（ＴＸ）データプロセッサ２１４へ提供される。
【００２６】
実施形態において、各データストリームはそれぞれの送信アンテナを通じて送信される。ＴＸデータプロセッサ２１４は、コード化したデータを提供するために当該データストリームのために選択される特定のコーディングスキームに基づいて、各データストリームに対するトラフィックデータを初期化し，コード化し，およびインタリーブする。
【００２７】
各データストリームに対してコード化されたデータは、ＯＦＤＭ技術を用いてパイロットデータと共に多重送信されてもよい。パイロットデータは、既知の方法で処理される典型的なデータパターンであり、チャンネル応答を評価するために受信機システムに用いられてもよい。各データストリームに対して多重送信されたパイロットデータおよびコード化されたデータは、変調シンボルを提供するために当該データストリームのために選択される特定の変調スキーム（例えば、ＢＰＳＫ，ＱＳＰＫ，Ｍ−ＰＳＫ，又はＭ−ＱＡＭ）に基づいて、その後変調される（言い換えると、シンボルマップされる）。各データストリームに対するデータレート，コーディング，および変調は、プロセッサ２３０で実行される命令によって決定されてもよい。
【００２８】
全てのデータストリームに対する変調シンボルは、当該変調シンボルをさらに処理してもよい（例えば、ＯＦＤＭのために）ＴＸ  ＭＩＭＯプロセッサ２２０にその後提供される。ＴＸ  ＭＩＭＯプロセッサ２２０は、ＮＴ送信機（ＴＭＴＲ）２２２ａから２２２ｔまでにＮＴ変調シンボルストリームをその後提供する。ある実施形態において、ＴＸ  ＭＩＭＯプロセッサ２２０は、データストリームのシンボルにビームフォーミング重みを適用し、且つシンボルが送信されているものから当該アンテナにビームフォーミング重みを適用する。
【００２９】
各送信機２２２は、一又はそれ以上のアナログ信号を提供するためにそれぞれのシンボルストリームを受信し、処理する。また、各送信機２２２は、ＭＩＭＯチャンネルを通じて送信するのに適する変調信号を提供するためにアナログ信号をさらに改良する（例えば、増幅し，フィルタし，アップコンバートする）。送信機２２２ａから２２２ｔまでのＮＴ変調信号は、その後ＮＴアンテナ２２４ａから２２４ｔまでにそれぞれ送信される。
【００３０】
受信機システム２５０において、送信された変調信号は、ＮＲアンテナ２５２ａから２５２ｒまでによって受信され、各アンテナ２５２から受信された信号は、それぞれの受信機（ＲＣＶＲ）２５４ａから２５４ｒまでに提供される。各受信機２５４は、それぞれの受信信号を改良し（例えば、フィルタし，増幅し，ダウンコンバートする）、サンプルを提供するために改良された信号をディジタル化し、対応する「受信」シンボルストリーム提供するために当該サンプルをさらに処理する。
【００３１】
ＲＸデータプロセッサ２６０は、その後、ＮＴ個の「検知」シンボルストリームを提供するために、特定の受信機処理技術に基づいてＮＲ受信機２５４からＮＲ受信シンボルストリームを受信し、処理する。ＲＸデータプロセッサ２６０は、その後、データストリームに対するトラフィックデータを回復させるために、各検知シンボルストリームを復調し，インタリーブし，デコードする。ＲＸデータプロセッサ２６０による処理は、送信機システム２１０において、ＴＸ  ＭＩＭＯプロセッサ２２０およびＴＸデータプロセッサ２１４によって処理されたことと相補的である。
【００３２】
プロセッサ２７０は、用いるためのプレコーディングする配列を周期的に決定する。プロセッサ２７０は、配列インデックス部およびランクバリュー部を備えている逆方向リンクメッセージを定式化する。
【００３３】
逆方向リンクメッセージは、通信リンクおよび／又は受信データストリームに関して、様々なタイプの情報を備えていてもよい。逆方向リンクメッセージは、その後、データソース２３６から多数のデータストリームに対するトラフィックデータも受信するＴＸデータプロセッサ２３８によって処理され、変調器２８０によって変調され、送信機２５４ａから２５４ｒまでによって改良され、送信機システム２１０に再び送信される。
【００３４】
送信機システム２１０において、受信機システム２５０からの変調信号が、アンテナ２２４によって受信され、受信機２２２によって改良され、復調器２４０によって復調され、受信機システム２５０によって送信されるリザーブリンクメッセージを抽出するためにＲＸデータプロセッサ２４２によって処理される。プロセッサ２３０は、その後、抽出されたメッセージを処理するビームフォーミング重みを決定するために用いるためのプレコーディング配列を決定する。
【００３５】
図３は、開示された様々な実施形態および様態が実行されてもよい、多数のユーザをサポートするために構成された典型的なワイヤレス通信システム３００を例証する。図３に例として示されるように、システム３００は、例えば、マクロセル３０２ａ−３０２ｇのような多重セル３０２に対する通信を提供する。なお、各セルは対応するアクセスポイント（ＡＰ）３０４（ＡＰ３０４ａ−３０４ｇのような）によって情報を提供されている。各セルは、一又はそれ以上のセクタ（例えば、一又はそれ以上の周波数を供給するために）にさらに分割されてもよい。ユーザ機器（ＵＥ）又はモバイルデバイスとの互換性も知られる、ＡＴ３０６ａ−３０６ｋを含んでいる様々なアクセス端末（ＡＴ群）３０６は、システムの至るところに分散される。各ＡＴ３０６は、例えば、ＡＴがアクティブであるかどうか、およびソフトハンドオフにあるかどうかに応じて、ある瞬間に順方向リンク（ＦＬ）および／又は逆方向リンク（ＲＬ）上で一又はそれ以上のＡＰ群３０４と通信してもよい。ワイヤレス通信システム３００は、広範な地理学上の地域にサービスを提供する。例えば、マクロセル３０２ａ−３０２ｇは、近隣の少しのブロックを含んでもよい。
【００３６】
セル３０２は、ＧＳＭ／ＧＰＲＳ／エッジネットワーク（以下、「２Ｇネットワーク」と称される）および／又はＵＭＴＳネットワーク（以下、「ＷＣＤＭＡカバレージ」，「３Ｇネットワーク」，又は単に「３Ｇ」と称される）のような多数のネットワークによってカバレージを提供できる。システム３００は、セルに第１のネットワークを有してもよい。第１のネットワークは最も容易に利用可能なネットワークである、又は最大のカバレージ領域を有している「代替」技術だとみなされてもよい。さらに、システム３００は、セル３０２のサブセットにおいて利用可能であり、第１のネットワークのように容易に利用可能ではない第２のネットワークを有してもよい。例えば、第２のネットワークは、各セル３０２の中で利用可能でなくてもよい。および／又は第２のネットワークは、第２のネットワークが利用可能であるセル３０２の全領域を含まなくてもよい。例えば、システム３００は、２Ｇおよび３Ｇネットワークを含みうる。なお、２Ｇネットワークは全システム３００を含み、３Ｇネットワークはシステム３００の至るところにある、いくつかの場所で利用可能である。
【００３７】
システム間のハンドオーバシナリオの間に、ＡＴ群３０６は第１のネットワークから第２のネットワークに、又はその逆に、ハンドオーバする。ＡＴ群３０６が第１のネットワークに接続されるときに、システム間のハンドオーバシナリオは始まる。なお、ＡＴ群３０６は、セル３０２上で、ＡＴ３０６が現在突き止められるシステム情報を読み出し、ＡＴ群３０６が第２のネットワークを検索し始めるべきかどうかを決定する。もしセル３０２が第２のネットワークに対して隣接するセルリスト（以下、「ＮＣＥＬＬリスト」と称される）を包含するのであれば、その時は、第２のネットワークがうまく識別されるまで、ＡＴ群３０６は予め決められたレート（例えば、３０秒毎）で第２のネットワークを検索する。例えば、もしＡＴ群３０６が第１の２Ｇネットワークに接続され、第２のネットワークが３Ｇネットワークであるのならば、ＷＣＤＭＡ  ＮＣＥＬＬリストで指定される全ての一次同期コード（ＰＳＣ）が識別されるまで、ＡＴ群３０６は３０秒毎に３Ｇネットワークを検索するであろう。その結果として、もしＡＴ３０６ｃが第２のネットワークのカバレージ領域の外側にあるのであれば、ＡＴ３０６ｃは余計なバッテリ電力を消費するであろう。なぜならば、連続して検索することは、ＡＴ３０６ｃのための活動しない周期を減らすからである。
【００３８】
本発明の実施形態に従って、ＡＴ群３０６は、ＡＴ群３０６がシステム間のハンドオーバシナリオの間に第２のネットワークを検索するレート（以下、「検索レート」と称される）を制御できる。例えば、ＡＴ群３０６は、一又はそれ以上のバックオフスキームを導入することによって検索レートを制御できる。バックオフスキームは、指数バックオフスキーム，非指数バックオフスキーム，線形バックオフスキーム，非線形バックオフスキーム等を含みうるが、これに限られない。検索レートの制御は、連続する検索失敗，ＡＴ群３０６の動作，および／又は信号強度（以下に、記述される）のような任意の多数の基準に基づいて導入されうる。例えば、ＡＴ３０６ｄは、シンボル間のハンドオーバシナリオを始めうる。なおＡＴ３０６ｄは、Ｘ秒毎に一度のレートで第２のネットワークを検索する。もし第２のネットワークに対して予め決められた多数の連続する検索が失敗し、ＡＴ３０６ｄが動作しないのであれば、ＡＴ３０６ｄは指数バックオフスキームを導入してもよい。ＡＴ３０６ｄが次の試行ＺのためにＸＹ秒毎に第２のネットワークを検索するように、指数バックオフスキームは検索レートを調整することができる。なお、Ｙは予め決められた指数バックオフスキームファクタであり、Ｚは予め決められた検索間隔である。言い換えると、ＡＴ３０６ｄは、次の試行のセットのために指数関数的にゆっくりと増加するように検索するであろう。
【００３９】
図４を参照して、アクセス端末上で検索レート制御を実行するための典型的な装置が示される。ダイアグラム４００は、接続コンポーネント４０４を有しているアクセス端末４０２，検索コンポーネント４０６，および電源４０８を含む。前述したように、アクセス端末４０２はワイヤレス通信構成４１０（例えば、多元アクセスワイヤレス通信システム）によって通信を提供する。ワイヤレス通信構成４１０は、第１のネットワーク４１４および第２のネットワーク４１６を有している、ワイヤレスアクセスポイント４１２を含む。アクセス端末４０２は、アクセスポイント４１０上に通されるネットワーク４１４又は４１６に接続することによって通信構成４１０と通信することができる。説明の平易のために、通信構成４１０は、単一のアクセスポイント４１０を有していると示され、当該アクセスポイント４１０はネットワーク４１４および４１６の二つだけを有しているとして例証される。しかしながら、通信構成４１０が多数のアクセスポイントを含むことができ、当該アクセスポイント４１０は多数のネットワークを含みうることは理解されたい。
【００４０】
接続コンポーネント４０４は、通信構成４１０との通信を促進する。接続コンポーネント４０４は、通信構成に関して、アクセス端末４０２のモビリティおよび／又は接続に関連した一又はそれ以上の基準を決定する基準コンポーネント４１８を含む。例えば、基準コンポーネント４１８は、アクセス端末４０２の動作，アクセス端末４０２がほどなく接続されるネットワークの信号強度等を決定できる。実行に応じて、アクセス端末４０２の動作は、信号強度の変動をトラッキングすることによって決定されうる。有意変動は、予め決められた閾値以上での変動であり、この閾値はシステム設計者，アドミニストレータ等によって典型的に決定されうる。さらに又は代わりに、基準コンポーネント４１８は、アクセス端末が予め決められた時間周期を通じてアクセス端末４０２によって行われる再選択の回数，予め決められた時間周期を通じてアクセス端末４０２によって検知される新しい隣接物の数，供給セルの予め決められた閾値以上での受信機自動利得制御（ＲＸＡＧＣ）における変動，および／又は予め決められた閾値以上での隣接セルのＲＸＡＧＣにおける変動を含んでいる多数の基準に基づいて動作することを決定できるが、これに限られない。例えば、システム設計者は、アクセス端末４０２が二又はそれ以上の回数の再選択を実行するかどうか、又は時間周期Ｘを通じて新しい隣接物を二つ以上検知するかどうかを決定してもよい。それゆえ、アクセス端末は移動する。同様に、システム設計者は、ＲＸ  ＡＧＣにおける変動，又はアクセス端末が移動することを示す閾値Ｚ以上での隣接セルのＲＸ  ＡＧＣにおける変動を決定することができる。
【００４１】
アクセス端末４０２は、セル中の第１のネットワーク（例えば、２Ｇネットワーク）に集められ、検索コンポーネント４０６は、アクセス端末４０２が第２のネットワーク（例えば、３Ｇネットワーク）に対して検索し始める必要があるかどうかを決定するためにシステム情報を読み出す。アクセス端末４０２が第２のネットワーク４１６に対して検索し始めるべきであることを、検索コンポーネント４０６が決定する場合に、システム間のハンドオーバシナリオは始められる。検索コンポーネント４０６は、検索コンポーネント４０６が第２のネットワーク４１６に対して検索するレートを決定する、検索レートコンポーネント４２０を含む。例えば、もしセルが第２のネットワークに対するＮＣＥＬＬリスト（例えば、ＷＣＤＭＡ  ＮＣＥＬＬリスト）を含むのであれば、その後、検索コンポーネント４０４は検索レートコンポーネント４２０で定められたレート（例えば、Ｘ又は３０秒毎）で第２のネットワークに対して検索する。さらに、検索コンポーネント４０６は、基準コンポーネント４１８によって決定される一又はそれ以上の基準の少なくとも一部に基づいて、検索レートコンポーネント４２０で定められたレートを調整することができる制御コンポーネント４２２を含む。前述したように、各セルは、一又はそれ以上のセクタに分割されてもよいし、一又はそれ以上の周波数でネットワークに送信することができる。その結果として、ＮＣＥＬＬリストは多数の周波数を含むことができ、アクセス端末４０２がそこに含まれる各周波数に対して検索レート制御を実行しうることは理解されたい。
【００４２】
検索レート制御の導入を決定する基準は、検索レート制御が実行されるべきであるシステム特有の性能と同様に、多分にシステムアドミニストレータの選択に基づいている。例えば、いくつかのシステムにおいて、信号強度のようなある基準は、その他の基準よりも確実である又は価値があってもよい。さらに、システムアドミニストレータは、異なる基準の使用を要求する様々な結果の達成を望んでもよい。多くのワイヤレス通信システム変更と同様に、アクセス端末４０２に対する検索レート制御の実行は様々な目的物のバランスを要求してもよい。例えば、第１および第２のネットワークを含んでいるシステムにおいて、できるかぎり頻繁に最も望ましいネットワーク（例えば、最も能率的な，最も速い，最良のカバレージ等）上でアクセス端末４０４を動作させるという要望とのバランスを保つ、電源４０８を保存するためにシステム間のハンドオーバシナリオの間に、バックオフスキームは実行されてもよい。
【００４３】
制御コンポーネント４２２は、検索レートコンポーネント４２０で定めたレートを調整する制御コンポーネント４２２で用いるための一又はそれ以上のバックオフスキームを提供する、バックオフコンポーネント４２４を含む。バックオフコンポーネント４２４は、基準コンポーネント４１６によって決定される一又はそれ以上の基準、および／又はカウンタコンポーネント４２６で管理される失敗した検索の連続数に基づいてバックオフスキームを実行しうる。例えば、バックオフコンポーネント４２４は、カウンタコンポーネント４２６が、予め決められた連続検索の失敗数の限度（例えば、５回）を超えるときに、バックオフスキームを実行でき、基準コンポーネント４１８はアクセス端末が移動しないことを決定する。アクセス端末４０２が第２のネットワーク４１６のエッジ上にあることを示すので、前述の例において用いられた基準が選択されてもよい。さらに、アクセス端末４０２によって消費される電源４０８からの電力は、検索コンポーネント４０６によって実行される検索の回数および／又は検索の頻度に比例している。その結果として、検索コンポーネント４０６によって実行される検索の総数および／又は検索の頻度を減少させることが、電源４０８からの消費される電力を減少させる。
【００４４】
上述した典型的なシステムを鑑みて、開示された内容に従って実行されてもよい方法論は、図５のフローチャートを参照して、よりよく理解されるであろう。説明の平易の目的のために、前記方法論は一連のブロックとして示され、記述されるが、いくつかのブロックは異なる順序で行われてもよい、および／又はいくつかのブロックはここに描かれ、記述されるブロックとその他のブロックと共に行われてもよいように、主張される内容がブロックの順序に制限されないことは、理解および認識されたい。さらに、例証されるブロック全てが、以下に記述される方法論を実行するために要求されるとは限らない。
【００４５】
図５は、検索レート制御によってアクセス端末のバッテリ寿命を増加させることを促進するような一般化された方法論５００を例証する。５０２において、アクセス端末は、セルで第１のネットワークと通信する。５０４において、前記アクセス端末がシステム間のハンドオーバシナリオをすでに始めたと仮定して（前述したように）、前記アクセス端末はＸ秒毎に第２のネットワーク（例えば、３Ｇ）を検索する。なお、前記Ｘは検索レートである。
【００４６】
５０６において、前記アクセス端末は、検索レート制御（ＳＲＣ）のための一又はそれ以上の基準が満たされているかどうかを決定する。例えば、アクセス端末モビリティが基準の一つであってもよく、もし前記アクセス端末が移動（例えば、モビリティ）しないのであれば、検索レート制御に対する基準は満たされる。前述したように、アクセス端末は、信号強度が著しく変動するかどうか，予め決められた時間周期を通じての再選択の回数，予め決められた時間周期を通じて検知される新しい隣接物の数，一定の閾値以上のＲＸ  ＡＧＣにおける変動，一定の閾値以上の隣接セルのＲＸ  ＡＧＣにおける変動等を含んでいる多数の基準に基づいてモビリティを決定できるが、これに限られない。
【００４７】
５０８において、もし基準が満たされているのであれば（例えば、前の検索間隔の間にアクセス端末が移動しない）、検索カウンタは増される（例えば、一だけ）。５１０において、検索カウンタは、予め決められた閾値と比較される。もし、検索カウンタが、予め決められた閾値を超えないのであれば（５１０において「いいえ」）、その後アクセスポイントは、Ｘ秒毎に再度検索するであろう。もし、検索カウンタＹが、予め決められた閾値を超えるのであれば（５１０において「はい」）、その後アクセス端末は、５１２において検索レート制御を行う又は実行する。検索レート制御は、バックオフスキームを用いることによって、検索レートを調整することを含みうる。ある例においては、検索間隔の時間が延ばされてもよい。この場合、予め定められた時間周期の間に行われる検索の回数によって定められるレートは減少する。各検索は、アクセス端末のバッテリ寿命を消費するので、検索の回数が減少するにつれてバッテリ寿命は維持される。例えば、アクセス端末は線形バックオフスキームを実行できる。なお、前記アクセス端末は次の試行ＺのためにＸ＊Ｙ毎に第２のネットワークを検索するであろう。さらに又は代わりに、ＮＣＥＬＬリストは多数の周波数を含むことができ、アクセス端末はそこに含まれる各周波数に対して検索レート制御（例えば、バックオフスキーム）を実行できる。
【００４８】
さらに又は代わりに、図５で例証される検索レート制御の方法が、様々な任意のシステム間のハンドオーバシナリオに適用することができ、ここに記述した典型的なワイヤレス通信システムに限られないことは理解されたい。例えば、検索レート制御の前述の方法は、ワイヤレス近距離ネットワーク（ＷＬＡＮ）で動作するアクセス端末に適用することができる。なお、ＷＬＡＮは、二又はそれ以上の利用可能なネットワークを有する。
【００４９】
図６は、本方法および本装置に従って、一又はそれ以上の特徴を自動化することを促進する人工知能（ＡＩ）コンポーネント６０２を用いるアプローチ６００を例証する。検索レート制御方法および装置は（例えば、干渉に関して）、様々な態様で実行する様々なＡＩを基にしたスキームを用いうる。例えば、バックオフスキームの実行を引き起こすために用いられうる基準を決定する処理は、自動分類処理システムおよび処理によって促進されうる。
【００５０】
クラシファイア（分類器）は、入力はクラスに属しているというコンフィデンスにｘ＝（ｘ１，ｘ２，ｘ３，ｘ４，ｘｎ）のような入力属性ベクトルをマップする関数である。すなわち、ｆ（ｘ）＝コンフィデンス（クラス）である。このようなクラシフィケーションは、ユーザが自動的に行われるべきであると望む動作を予知する又は推測するために、見込みに基づく解析および／又は統計に基づく解析（例えば、解析中のファクタリングが利用し、要する）を用いることができる。例えば、実行に応じて、コンフィデンスは一組の基準に割り当てられてもよいし、検索レート制御を実行するトリガとして用いられるべき基準とされてもよい。
【００５１】
サポートベクタマシン（ＳＶＭ）は、用いられうるクラシファイアの一例である。ＳＶＭは、可能な入力空間において超曲面を求めることによって動作する。なお、超曲面は、非トリガリング事象からのトリガリング基準を分離させることを試みるものである。直観的に、これは近似するテスティングデータのために正しいクラシフィケーションを生成するが、トレーニングデータとは一致しない。例えば、独立の異なるパターンを提供する確率的なクラシフィケーションモデル，ファジィ論理モデル，ニューラルネットワーク，ディシジョンツリー，ベイジアンネットワーク，および単純ベイズを含むその他の指示されるモデルクラシフィケーションアプローチおよび指示されないモデルクラシフィケーションアプローチが用いられてもよい。ここに用いられるようなクラシフィケーションは、重要なモデルを展開させるために利用される、統計的な識別を含めてもいる。
【００５２】
本明細書からすぐに理解されるであろうように、本発明は、暗に訓練されるのと同様に（例えばユーザの行動を観察し，外部の情報を受信することによって）、はっきりと訓練される（例えば、一般的なトレーニングデータによって）クラシファイアを用いることができる。例えば、ＳＶＭはクラシファイアコンストラクタおよびクラシファイア特徴選択モジュールの中の状態を学習すること又は教育することによって構成される。それゆえ、クラシファイアは、これらに限定されないが、前述の推測される図を更新するために又は区別する際、所定の基準に応じて判断すること、処理されるデータの種類（例えば、一次対二次，静的対動的等）及びきつくした基準制御を何時に実行するか（例えば、システム性能がより少ない影響を受けるであろう夕方において）に基づいて推測アルゴリズム上の基準をきつくすることを含む多数の機能を自動的に学習し、処理するために用いられうる。
【００５３】
図７を参照して、ポータブルハンドヘルド端末デバイス７００の機能ブロック図が例証される。プロセッサ７０２は、デバイス７００の一般的な動作を制御する義務がある。プロセッサ７０２は、ここに記述される様々な機能を実行する手段として、デバイス７００の中の様々なコンポーネントを制御するために、および動作させるためにプログラムされる。プロセッサ７０２は、任意の多数の適切なプロセッサであってもよい。プロセッサ７０２が本発明に関連する機能を実行するためにプログラムされうる方法は、ここで提供される記述に基づいて当業者を有しているものにすぐに理解されるであろう。
【００５４】
プロセッサ７０２に接続されるメモリ７０４は、プロセッサ７０２によって実行されるプログラムコードを記憶することを供給し、ユーザクレデンシャルおよび送受信情報等のような情報を記憶する記憶手段を供給する。メモリ７０４は、プロセッサ７０２および／又は文書，画像，オーディオ，および映像を備えるギガバイトのデータを記憶可能なマイクロドライブのような大容量記憶装置、による高速アクセスのためにＲＡＭ又はフラッシュメモリを含みうる。ある態様によれば、メモリ７０４は、多数のセットの情報を記憶するための十分な記憶領域を有し、プロセッサ７０２は、様々なセットのディスプレイ情報間で交替するための又は循環するためのプログラムを含んでもよい。
【００５５】
ディスプレイ７０６は、ディスプレイドライバシステム７０８によってプロセッサ７０２に連結される。ディスプレイ７０６は、カラー液晶ディスプレイ（ＬＣＤ），プラズマディスプレイ等であってもよい。この例において、ディスプレイ７０６は、１６段階のグレースケールを備える１／４ＶＧＡディスプレイである。ディスプレイ７０６は、現在のデータ，グラフィック，又はその他の情報に機能する。例えば、ディスプレイ７０６は、オペレータに対して表示され、システムバックボーン（示されない）を通じて送信されてもよい顧客情報のセットを表示できる。さらに、ディスプレイ７０６は、デバイス７００の実行を制御する様々なファンクションを表示できる。ディスプレイ７０６は、アルファニューメリック特性およびグラフィック特性のどちらも表示することができる。
【００５６】
電力は、オンボード電力システム７１０（例えば、バッテリパック）によって、プロセッサ７０２およびハンドヘルドデバイス７００を構成するその他のコンポーネントに提供される。結果的には、電力システム７１０は停止する、又はデバイス７００から分離される。ここで、プロセッサ７０２に電力を供給するために、又はオンボード電力システム７１０に充電するために、補足電源７１２が用いられてもよい。デバイス７００のプロセッサ７０２は、予想される電力停止の検知に基づいて減少させるためのスリープモードを含む。
【００５７】
端末７００は、リモートコンピュータを備えるプロセッサ７０２のインターフェースとなるために用いられるデータ通信ポート７１６を含む、通信サブシステム７１４を備える。ポート７１６は、ユニバーサルシリアルバス（ＵＳＢ）およびＩＥＥＥ１３９４シリアル通信性能のうちの少なくとも一つを含みうる。その他の技術、例えば、赤外線データポートを利用する赤外線通信等が含まれてもよい。
【００５８】
デバイス７００は、プロセッサ７０２とオペレイティブ通信している無線周波数（ＲＦ）トランシーバセクション７１８を含むこともできる。ＲＦセクション７１８は、アンテナ７２２によってリモートデバイスからＲＦ信号を受信し、ここで変調したディジタル情報を取得するために復調する、ＲＦ受信機７２０を含む。ＲＦセクション７１８は、例えば、ユーザ入力デバイス７２６（例えば、キーパッド）によって手動でのユーザ入力に応じて、又はトランザクションの終了又はその他の予め決められ、プログラムされた基準に自動的に応じて、リモートデバイスに情報を送信するＲＦ送信機７２４も含む。トランシーバセクション７１８は、例えば、製品又は品目ＲＦタグに使用されている、受動的な又は積極的な応答機システムどちらか一方との通信を促進する。プロセッサ７０２は、トランシーバ７１８によってリモート応答機システムに信号を送り（又は、伝える）、タグメモリの内容を読み出すためにリターン信号を検知する。ある実行において、ＲＦセクション７１８は、デバイス７００を用いる電話通信をさらに促進する。その促進において、オーディオＩ／Ｏセクション７２８は、携帯電話（又は、類似のオーディオ入力デバイス）およびオーディオ出力信号（スピーカ又は類似のオーディオ出力デバイスからの）からの音声入力を処理するためにプロセッサ７０２によって制御されるように提供される。
【００５９】
もう一つの実行において、デバイス７００は音声認識性能を提供できる。デバイス７００が単に音声レコーダとして用いられる。プロセッサ７０２は、音声信号の高速変換を促進できる。
【００６０】
プリンタ７３０，シグネーチャパッド７３２，および磁気ストライプ読み出し装置７３４のようなオンボード周辺デバイスは、デバイス７００の囲いの中に提供されてもよいし、一又はそれ以上の外部ポートインターフェース７１６によって外部的に適応させてもよい。
【００６１】
デバイス７００は、ユーザが、デバイス７００での記憶のために、およびディスプレイ７０６での公開のために、画像および／又は短い映像を記録できるような画像キャプチャシステム７３６も含んでもよい。これらの画像システム（７３６および７３８）は、両方の機能を行うことができる単一のシステムであってもよいことは理解されたい。
【図１】
2010533465.tif 000003
【図２】
2010533465.tif 000004
【図３】
2010533465.tif 000005
【図４】
2010533465.tif 000006
【図５】
2010533465.tif 000007
【図６】
2010533465.tif 000008
【図７】
2010533465.tif 000009
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
第１のネットワークと通信することと、
検索レートで第２のネットワークを検索することと、
少なくとも一つの基準の一部に基づいて検索レートを制御することと、
を具備し、
前記検索レートを制御することは、バックオフスキームを実行することをさらに備え、
前記バックオフスキームは、指数バックオフスキーム、非指数バックオフスキーム、線形バックオフスキーム、又は非線形バックオフスキームのうちの少なくとも一つを含む、ワイヤレス通信システムに用いられる方法。
【請求項２】
前記第１のネットワークが２Ｇネットワークであり、前記第２のネットワークが３Ｇネットワークである、請求項１に記載の方法。
【請求項３】
前記基準は、閾値以上での多数の連続失敗検索、アクセス端末のモビリティ、閾値以上での信号強度の変動、時間周期を通じての多数の再選択、時間周期を通じて検知される多数の新しい隣接物、閾値以上での受信機自動利得制御（ＲＸ  ＡＧＣ）における変動、又は閾値以上でのＲＸ  ＡＧＣの隣接セルにおける変動のうちの少なくとも一つを含む、請求項１に記載の方法。
【請求項４】
前記第２のネットワークは多数の周波数で送信され、
前記第２のネットワークに対する前記周波数の各々を検索することと、
各周波数に対する前記検索レートを制御することと、
をさらに具備する請求項１に記載の方法。
【請求項５】
前記第２のネットワークを検索すること、前記検索レートを制御すること、又は前記基準を決定することのうちの少なくとも一つを人工知能によって自動化することをさらに具備する請求項１に記載の方法。
【請求項６】
少なくとも一つの周波数上で送信されるセル中のネットワークを少なくとも一つの周波数の検索レートで検索すること、および少なくとも一つの基準の一部に基づいて前記検索レートを制御することに関連した命令を記憶するメモリと、
前記メモリに連結され、前記メモリに記憶される命令を実行するように構成されるプロセッサと、
を具備し、
前記検索レートを制御することは、バックオフスキームを実行することをさらに備え、
前記バックオフスキームは、指数バックオフスキーム、非指数バックオフスキーム、線形バックオフスキーム、又は非線形バックオフスキームのうちの少なくとも一つを含む、ワイヤレス通信装置。
【請求項７】
検索レートでセルのネットワークを検索する手段と、
少なくとも一つの基準の一部に基づいて前記検索レートを制御する手段と、
を具備し、
前記検索レートを制御することは、少なくとも一つのバックオフスキームを実行することをさらに備え、
前記バックオフスキームは、指数バックオフスキーム、非指数バックオフスキーム、線形バックオフスキーム、又は非線形バックオフスキームのうちの少なくとも一つを含む、ワイヤレス通信装置。
【請求項８】
前記基準は、予め決められた閾値以上の多数の連続して停止した検索、アクセス端末のモビリティ、予め決められた時間周期を通じての多数の再選択、予め決められた閾値以上の信号強度の変動、予め決められた時間周期を通じて検索される多数の新しい隣接物、予め決められた閾値以上の受信機自動利得制御（ＲＸ  ＡＧＣ）における変動、又は予め決められた閾値以上のＲＸ  ＡＧＣの隣接セルにおける変動のうちの少なくとも一つを含む、請求項７に記載の装置。
【請求項９】
前記ネットワークは多数の周波数を通じて送信され、前記ネットワークが送信される周波数を通じて各周波数に対する前記検索レートを制御する手段をさらに具備する請求項７に記載の装置。
【請求項１０】
前記第２のネットワークを検索すること、前記検索レートを制御すること、又は前記基準を決定することのうちの少なくとも一つを自動化する手段をさらに具備する請求項７に記載の装置。
【請求項１１】
第１のネットワークと通信するコードと、
検索レートで第２のネットワークを検索するコードと、
少なくとも一つの基準の少なくとも一部に基づいて前記検索レートを制御するコードと、
を備えるコンピュータ可読媒体を具備し、
前記検索レートを制御するコードは、バックオフスキームを実行するコードをさらに備え、
前記バックオフスキームは、前記アクセス端末によって電力消費を減少させるために検索レートを減少させ、
前記バックオフスキームは、指数バックオフスキーム、非指数バックオフスキーム、線形バックオフスキーム、又は非線形バックオフスキームのうちの少なくとも一つを含む、コンピュータプログラム製品。
【請求項１２】
前記第１のネットワークは２Ｇネットワークであり、前記第２のネットワークは３Ｇネットワークである請求項１１に記載のコンピュータ製品。
【請求項１３】
前記基準は、予め決められた閾値以上の多数の連続して停止した検索、アクセス端末のモビリティ、予め決められた閾値以上の信号強度の変動、予め決められた時間周期を通じての多数の再選択、予め決められた時間周期を通じて検知される多数の新しい隣接物、予め決められた閾値以上の受信機自動利得制御（ＲＸ  ＡＧＣ）における変動、又は予め決められた閾値以上のＲＸ  ＡＧＣの隣接セルにおける変動のうちの少なくとも一つを含む、請求項１１に記載のコンピュータ製品。
【請求項１４】
前記第２のネットワークが送信される周波数を介して、各周波数に対する前記検索レートを制御するコードをさらに具備する請求項１１に記載のコンピュータ製品。
【請求項１５】
前記第２のネットワークを検索すること、前記検索レートを制御すること、又は人工知能を用いて前記基準をきって射することのうちの少なくとも一つを自動化するコードをさらに具備する、請求項１１に記載のコンピュータ製品。
【請求項１６】
第１のネットワークと通信し、
予め決められたレートで第２のネットワークを検索し、
少なくとも一つの基準の少なくとも一部に基づいて前記検索レートを制御するように構成されるプロセッサを具備し、
前記検索レートを制御することは、バックオフスキームを実行することをさらに備え、
前記バックオフスキームは、指数バックオフスキーム、非指数バックオフスキーム、線形バックオフスキーム、又は非線形バックオフスキームのうちの少なくとも一つを含む、ワイヤレス通信装置。
【請求項１７】
少なくとも一つの第１のネットワークとの通信を促進し、前記第１のネットワークとの通信のうちの少なくとも一つの基準を決定する基準コンポーネントを含んでいる接続コンポーネントと、
少なくとも一つの第２のネットワークを検索し、前記第２のネットワークを検索するレートを定める検索レートコンポーネントを含み、前記検索レートコンポーネントで定められた検索レートを調整する制御コンポーネントをさらに含んでいる検索コンポーネントと、
を具備し、
前記制御コンポーネントは、バックオフコンポーネントを含み、前記検索レートを調整しつつ、使用のために少なくとも一つのバックオフスキームを備える前記制御コンポーネントを提供でき、
前記バックオフスキームは、指数バックオフスキーム、非指数バックオフスキーム、線形バックオフスキーム、又は非線形バックオフスキームのうちの少なくとも一つを含む、ワイヤレス通信装置。
【請求項１８】
前記第１のネットワークは２Ｇネットワークであり、前記第２のネットワークは３Ｇネットワークである請求項１７に記載の装置。
【請求項１９】
前記制御コンポーネントは、前記検索コンポーネントに含まれるカウンタコンポーネントによって決定される、多数の連続して失敗した検索の少なくとも一部に基づいて前記検索レートを調整する請求項１７に記載の装置。
【請求項２０】
前記基準は、アクセス端末のモビリティ、予め決められた閾値以上での前記信号強度の変動、予め決められた時間周期を通じての多数の再選択、予め決められた時間周期を通じて検知される多数の新しい隣接物、予め決められた閾値以上での受信機自動利得制御（ＲＸ  ＡＧＣ）における変動、又は予め決められた閾値以上でのＲＸ  ＡＧＣの隣接セルにおける変動のうちの少なくとも一つを含む、請求項１７に記載の装置。
【請求項２１】
前記制御コンポーネントは、前記装置に含まれる電源の寿命を向上させるために前記検索レートを調整する、請求項１７に記載の装置。
【国際調査報告】
2010533465.tif 000010
2010533465.tif 000011